(57)【要約】【課題】  光源に発光素子を用いた直管形ランプのソケットに対する回動を抑制することにより、当該直管形ランプの落下等を防止することができる照明装置を提供することである。【解決手段】  実施形態の照明装置１０は、発光素子と、前記発光素子を収容するカバー１５と、前記カバー１５の両端に設けられる口金１７ａ、１７ｂと、前記口金１７ａ、１７ｂに設けられるランプピン２５、２６とを有する直管形ランプ１１と；所定の間隔をあけて対向配置されるとともに、前記直管形ランプ１１のランプピン２５、２６が挿入されて、前記直管形ランプ１１が回動されることにより、前記直管形ランプ１１が着脱される一対のソケット３２ａ、３２ｂと；前記ソケット３２ａ、３２ｂを覆うとともに、前記直管形ランプ１１の前記ソケット３２ａ、３２ｂに対する回動を抑制する回動抑制部５４、７４を有する被覆部材３３、７０と；を持つ。【選択図】図１
2016139464.tif 000002
【特許請求の範囲】
【請求項１】
発光素子と、前記発光素子を収容するカバーと、前記カバーの両端に設けられる口金と、前記口金に設けられるランプピンとを有する直管形ランプと；
所定の間隔をあけて対向配置されるとともに、前記直管形ランプのランプピンが挿入されて、前記直管形ランプが回動されることにより、前記直管形ランプが着脱される一対のソケットと；
前記ソケットを覆うとともに、前記直管形ランプの前記ソケットに対する回動を抑制する回動抑制部を有する被覆部材と；
を具備していることを特徴とする照明装置。
【発明の詳細な説明】
【技術分野】
【０００１】
本発明の実施形態は、照明装置に関する。
【背景技術】
【０００２】
直管形蛍光ランプを光源として用いた照明器具を鉄道車両等の車両用照明装置として用いる場合には、当該直管形蛍光ランプの落下等を防止するために、直管形蛍光ランプの口金および口金に接続されるソケットを覆うカバーを用いていた。
【先行技術文献】
【特許文献】
【０００３】
【特許文献１】特開２０１３−１４５６４６号公報
【発明の概要】
【発明が解決しようとする課題】
【０００４】
しかしながら、直管形蛍光ランプの口金および口金に接続されるソケットを覆うカバーでは単に口金およびソケットを覆うのみであるため、直管形蛍光ランプの落下を完全には防止できない虞がある。
【０００５】
本発明が解決しようとする課題は、光源に発光素子を用いた直管形ランプのソケットに対する回動を抑制することにより、当該直管形ランプの落下等を防止することができる照明装置を提供することである。
【課題を解決するための手段】
【０００６】
実施形態の照明装置は、発光素子と、前記発光素子を収容するカバーと、前記カバーの両端に設けられる口金と、前記口金に設けられるランプピンとを有する直管形ランプと；所定の間隔をあけて対向配置されるとともに、前記直管形ランプのランプピンが挿入されて、前記直管形ランプが回動されることにより、前記直管形ランプが着脱される一対のソケットと；前記ソケットを覆うとともに、前記直管形ランプの前記ソケットに対する回動を抑制する回動抑制部を有する被覆部材と；を持つ。
【発明の効果】
【０００７】
本発明によれば、光源に発光素子を用いた直管形ランプのソケットに対する回動を抑制することにより、当該直管形ランプの落下等を防止することを期待できる。
【図面の簡単な説明】
【０００８】
【図１】図１は、第１の実施形態の照明装置の全体構成を示す図である。
【図２】図２は、第１の実施形態の照明装置の被覆部材を示す断面図である。
【図３】図３は、第１の実施形態の被覆部材を示す図である。
【図４】図４は、第１の実施形態の被覆部材の変形例を示す図である。
【図５】図５は、第２の実施形態の被覆部材を示す図である。
【図６】図６は、第１の実施形態の照明装置の直管形ランプを示す斜視図である。
【図７】図７は、第１の実施形態の照明装置のソケットを示す図である。
【図８】図８は、第１の実施形態の照明装置のソケットを示す図である。
【図９】図９は、第１の実施形態の照明装置のソケットを示す図である。
【発明を実施するための形態】
【０００９】
以下に、本発明の各実施形態について図面を参照しつつ説明する。
【００１０】
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【００１１】
さらにまた、本願明細書と各図において、既出の図に関して前述したものと同様の要素には同一の符号を付して詳細な説明は適宜省略する。
【００１２】
（第１の実施形態）以下、第１の実施形態の構成を図１〜図４、図６〜図９を参照して説明する。図１（ａ）は、照明装置を図１（ｂ）のＡ方向から見た図である。また、図１（ｂ）は、照明装置を図１（ａ）のＢ方向から見た図である。図２は、照明装置の被覆部材を図１（ｂ）のＣ−Ｃ断面で示す断面図である。なお、図２において、被服部材以外の断面の図示は省略している。
【００１３】
図１または図２において、１０は照明装置としてのランプシステムで、このランプシステム１０（照明装置１０）は、直管形ランプ１１を器具本体３１に取り付けて使用する直付形の１灯式照明器具である。なお、以下、本実施形態では、設置面として天井に直付けした状態を基準として上下方向等を説明する。
【００１４】
図１、図２、図６に、直管形ランプ１１を示す。この直管形ランプ１１は、樹脂またはガラス製で円筒状の発光管部としてのカバーである透光性カバー１５、この透光性カバー１５内に収容された図示しない光源ユニット、および透光性カバー１５の両端部にそれぞれ設けられた口金１７ａ、１７ｂを備えている。
【００１５】
光源ユニットは、例えばＬＥＤ素子やＥＬ素子などの複数の発光素子である半導体発光素子が実装された基板を備えている。半導体発光素子の実装方式には、ＬＥＤ素子の場合、基板上にＬＥＤチップが搭載された接続端子付きの複数のＳＭＤ（Surface Mount Device）パッケージを実装する方式や、基板上に複数のＬＥＤ素子を実装するＣＯＢ（Chip On Board）方式が用いられている。なお、光源ユニットの発光素子には、例えば有機ＥＬが用いられてもよい。
【００１６】
また、図１、図２、図６に示す口金１７ａ、１７ｂは、日本工業規格JIS C8159-1「一般照明用 GX16t-5 口金付直管LEDランプ−第１部：安全仕様」、日本工業規格JIS C8159-2「一般照明用 GX16t-5 口金付直管LEDランプ−第２部：性能要求事項」、日本照明工業会規格JEL801「一般照明用 GX16t-5 口金付直管LEDランプシステム」などに準拠しており、一端側の口金１７ａは給電側であり、他端側の口金１７ｂは、非給電側である。給電側の口金１７ａの端面には、一対のランプピン２５が突設されている。一対のランプピン２５には光源ユニットが電気的に接続されている。また、非給電アース側の口金１７ｂの端面には、その端面の管軸中心から器具本体３１への取付用であるとともにアース接続にも利用可能な１本のランプピン（アースピン）２６が突出されている。このランプピン２６の先端はランプ長手方向に対して直交する方向に横長の抜止部である楕円部２６ａが設けられている。
【００１７】
なお、直管形ランプ１１は、一対のランプピン２５が並ぶ方向と、ランプピン２６の楕円部２６ａの長手方向とが一致されているとともに、これらの方向に平行な面と光源ユニットの半導体発光素子の発光面とが平行になるように設けられている。さらに、口金１７ａには、一対のランプピン２５が設けられた部分に段部１６が設けられている。
【００１８】
また、図１および図２に示す照明装置１０は、器具本体３１、この器具本体３１の両端に互いに対向して配置された一対のソケット３２ａ、３２ｂ、及び、直管形ランプ１１の一部である口金１７ａ、１７ｂをそれぞれ覆う被覆部材３３（３３ａ、３３ｂ）を備えている。また、器具本体３１内には一対のソケット３２ａ、３２ｂ間に配置された直管形ランプ１１の点灯電力を供給する電源装置３４が配置されている。電源装置３４には、外部電源からの電力供給により、直管形ランプ１１の半導体発光素子を点灯させる図示しない点灯用の点灯回路が備えられている。
【００１９】
図１に示す器具本体３１は、長手状に形成されたシャーシ部３５と、このシャーシ部３５の下部、すなわちこのシャーシ部３５に対して直管形ランプ１１からの光の出射方向側に取り付けられ直管形ランプ１１の上方に対向してこの直管形ランプ１１（半導体発光素子）からの光を反射および拡散させる平板長手状の反射板３６とを備えている。
【００２０】
図１、図２、図７ないし図９に示すソケット３２ａ、３２ｂは、直管形ランプ１１を配置可能とする所定の間隔をあけて器具本体３１の下部のシャーシ部３５の長手方向の両端にそれぞれ配置されている。そして、これらソケット３２ａ、３２ｂは、ソケット３２ａ、３２ｂの先端部からランプピン２５、ランプピン２６をそれぞれ挿入し、直管形ランプ１１の管軸を中心として所定角度、例えば９０°回転させることにより所定の装着位置に装着する回転装着式が用いられている。
【００２１】
また、ソケット３２ａ、３２ｂは、ソケット本体４１をそれぞれ備え、図６および図７に示すソケット３２ａのソケット本体４１には、回転可能に取り付けられた回転子４２、およびソケット本体４１内に配置された一対の端子などが配置されており、図９に示すソケット３２ｂのソケット本体４１には、直管形ランプ１１を下方から支持するための支持部４４が内部に設けられている。なお、ソケット本体４１は、例えば絶縁性を有する合成樹脂製で、上端部が器具本体３１に取り付けられる基部となっている。また、回転子４２は、絶縁性を有する合成樹脂製で、ソケット３２ａのソケット本体４１に回転可能に取り付けられている。そして、回転子４２には、スリット４６と連通してソケット３２ａの先端部から挿入されるランプピン２５が挿入される溝部４２ａ、４２ａがそれぞれ形成されている。さらに、回転子４２の溝部４２ａ、４２ａにランプピン２５が挿入された直管形ランプ１１を管軸を中心として９０°回転（回動）させることにより、直管形ランプ１１が所定の装着位置に装着されるとともに、ランプピン２５がソケット本体４１内の端子に接続される。なお、直管形ランプ１１が、ソケット３２ａ、３２ｂに対して、所定の装着位置に装着されたとき、回転子４２の孔部４２ｂがスリット４６に対向するように設けられている。
【００２２】
また、被覆部材３３は、直管形ランプ１１がソケット３２ａ、３２ｂに取り付けられた後、器具本体３１からの取り外しを阻害するもので、ソケット３２ａ、３２ｂを覆うように取り付けられる。図１ないし図３に示すように、被覆部材３３（被覆部材３３ａ）は、例えば金属などにより一体成形され、ソケット３２ａ、３２ｂのスリット４６と近接または対向するとともに半円状に形成された先端部５１、先端部５１から延設された側面部５２、側面部５２から延設されるとともに器具本体３１の反射板３６に取り付けられる取付部５３、先端部５１および側面部５２から延設されるとともに直管形ランプ１１の口金１７ａの段部１６に当接して、直管形ランプ１１の回動を抑制する回転抑制部５４とを備えている。
【００２３】
なお、図３において、図３（ａ）は、被覆部材３３を図３（ｂ）のＤ方向から見た図である。同様に、図３（ｂ）は、被覆部材３３を図３（ｃ）のＡ方向から見た図である。さらに、図３（ｃ）は、被覆部材３３を図３（ａ）のＢ方向から見た図である。
【００２４】
また、本実施形態では、被覆部材３３には、ソケット３２ａを覆う被覆部材３３ａと、ソケット３２ｂを覆う被覆部材３３ｂとが設定されている。これら被覆部材３３ａ、３３ｂは、基本的に同様の形状を有しているが、一部が異なる形状であってもよい。なお、以下、被覆部材３３ａ、３３ｂの少なくともいずれかを単に被覆部材３３ということがある。また、図２および図３には、被覆部材３３の一方のみ（被覆部材３３ａ）を図示し、他方の図示を省略する。
【００２５】
被覆部材３３（被覆部材３３ａ）の先端部５１、側面部５２および回転抑制部５４は、ソケット３２ａ、３２ｂのソケット本体４１を覆うように設けられている。
【００２６】
被覆部材３３（被覆部材３３ａ）の取付部５３は、ソケット３２ａ、３２ｂを収納する側とは反対側に、側面部５２から延設して設けられる。
【００２７】
次に、第１の実施形態のランプシステム１０（照明装置１０）の作用を説明する。
【００２８】
直管形ランプ１１の装着について説明すると、口金１７ａ、１７ｂから突出するランプピン２５、ランプピン２６をそれぞれソケット３２ａ、３２ｂのスリット４６、４６から挿入し、一対のランプピン２５を回転子４２の一対の溝部４２ａに嵌着して、直管形ランプ１１をソケット３２ａ、３２ｂの間に配置する。次いで、直管形ランプ１１を９０°回動させ、直管形ランプ１１をソケット３２ａ、３２ｂの所定の装着位置に装着する。
【００２９】
さらに、ソケット３２ａ、３２ｂを覆うように、被覆部材３３ａ、３３ｂをそれぞれ取り付ける。被覆部材３３ａ、３３ｂは、取付部５３により、器具本体３１の反射板３６に取り付けられる。被覆部材３３ａ、３３ｂが取り付けられると、被覆部材３３ａ、３３ｂの先端部５１、側面部５２および回転抑制部５４により、ソケット３２ａ、３２ｂのソケット本体４１が覆われる。
【００３０】
この状態で、図２に示すように、被覆部材３３（被覆部材３３ａ）の回転抑制部５４が、直管形ランプ１１の口金１７ａの段部１６に当接するので、直管形ランプ１１を回動させることができず、直管形ランプ１１をソケット３２ａ、３２ｂに対して取り外しできなくなっている。
【００３１】
第１の実施形態の効果を述べる。
【００３２】
本実施形態によれば、照明装置１０のソケット３２ａ、３２ｂを覆うように被覆部材３３が設けられることで、直管形ランプ１１のソケット３２ａ、３２ｂに対する回動（直管形ランプ１１の取り外し方向への回動）が、被覆部材３３（被覆部材３３ａ）の回転抑制部５４と直管形ランプ１１の口金１７ａの段部１６との突き当てによって規制されるため、被覆部材３３ａ、３３ｂを取り外さない限り、直管形ランプ１１をソケット３２ａ、３２ｂに対して回動させることができないので、直管形ランプ１１をソケット３２ａ、３２ｂから不所望に取り外されないようにできる。
【００３３】
このため、直管形ランプ１１を使用した照明装置が、振動等の多い車両用照明装置として用いられた場合であっても、被覆部材３３（被覆部材３３ａ）の回転抑制部５４により、直管形ランプ１１をソケット３２ａ、３２ｂに対して回動させることができないので、直管形ランプ１１が、振動等によりソケット３２ａ、３２ｂから落下することを抑制することができる。また、故意または不所望に直管形ランプ１１がソケット３２ａ、３２ｂから取り外されることを抑制することができる。
【００３４】
さらに、口金１７ａ、１７ｂから突出するランプピン２５、ランプピン２６が、それぞれソケット３２ａ、３２ｂに対して、接触不良となることを抑制することができる。よって、直管形ランプ１１のちらつきや不点を抑制することが期待できる。
【００３５】
第１の実施形態の変形例を図４を参照して説明する。この第１の実施形態の変形例は、上記第１の実施形態の被覆部材３３（被覆部材３３ａ）の回転抑制部５４に代えて、回転抑制部５４ａを備えるものである。
【００３６】
被覆部材３３（被覆部材３３ａ）の回転抑制部５４ａは、回転抑制部５４とは異なり、先端部５１および／または側面部５２から延設されるとともに、ソケット３２ａ、３２ｂのスリット４６、４６と対向する部分が分離している。
【００３７】
被覆部材３３（被覆部材３３ａ）の回転抑制部５４ａが、直管形ランプ１１の口金１７ａの段部１６に当接するので、直管形ランプ１１を回動させることができず、直管形ランプ１１をソケット３２ａ、３２ｂに対して取り外しできなくなっている。
【００３８】
よって、直管形ランプ１１のソケット３２ａ、３２ｂに対する回動（直管形ランプ１１の取り外し方向への回動）が、被覆部材３３（被覆部材３３ａ）の回転抑制部５４ａと直管形ランプ１１の口金１７ａの段部１６との突き当てによって規制されるため、被覆部材３３ａ、３３ｂを取り外さない限り、直管形ランプ１１をソケット３２ａ、３２ｂに対して回動させることができないので、直管形ランプ１１をソケット３２ａ、３２ｂから不所望に取り外されないようにできる。また、故意または不所望に直管形ランプ１１がソケット３２ａ、３２ｂから取り外されることを抑制することができる。
【００３９】
さらに、口金１７ａ、１７ｂから突出するランプピン２５、ランプピン２６が、それぞれソケット３２ａ、３２ｂに対して、接触不良となることを抑制することができる。よって、直管形ランプ１１のちらつきや不点を抑制することが期待できる。
【００４０】
（第２の実施形態）次に、第２の実施形態を図５を参照して説明する。なお、第１の実施形態と同様の構成および作用については、同一符号を用いてその説明を省略する。この第２の実施形態は、上記第１の実施形態の被覆部材３３に代えて、被覆部材７０（被覆部材７０ａ、７０ｂ）を備えるものである。
【００４１】
被覆部材７０は、直管形ランプ１１がソケット３２ａ、３２ｂに取り付けられた後、器具本体３１からの取り外しを阻害するもので、ソケット３２ａ、３２ｂを覆うように取り付けられる。図５に示すように、被覆部材７０（被覆部材７０ａ）は、例えば金属などにより一体成形され、ソケット３２ａ、３２ｂのスリット４６と近接または対向するとともに半円状に形成された先端部７１、先端部７１から延設された側面部７２、側面部７２から延設されるとともに器具本体３１の反射板３６に取り付けられる取付部７３、先端部７１から突設されるとともにソケット３２ａの回転子４２の孔部４２ｂに当接して、直管形ランプ１１の回動を抑制する回転抑制部７４とを備えている。
【００４２】
なお、図５において、図５（ａ）は、被覆部材７０（被覆部材７０ａ）を図５（ｂ）のＤ方向から見た図である。同様に、図５（ｂ）は、被覆部材７０（被覆部材７０ａ）を図５（ｃ）のＡ方向から見た図である。さらに、図５（ｃ）は、被覆部材７０（被覆部材７０ａ）を図５（ａ）のＢ方向から見た図である。
【００４３】
また、本実施形態では、被覆部材７０には、ソケット３２ａを覆う被覆部材７０ａと、ソケット３２ｂを覆う図示しない被覆部材７０ｂとが設定されている。これら被覆部材７０ａ、７０ｂは、基本的に同様の形状を有しているが、一部が異なる形状であってもよい。なお、以下、被覆部材７０ａ、７０ｂの少なくともいずれかを単に被覆部材７０ということがある。また、図５には、被覆部材７０の一方のみ（被覆部材７０ａ）を図示し、他方の図示を省略する。
【００４４】
被覆部材７０（被覆部材７０ａ）の先端部７１、側面部７２および回転抑制部７４は、ソケット３２ａ、３２ｂのソケット本体４１を覆うように設けられている。
【００４５】
被覆部材７０（被覆部材７０ａ）の取付部７３は、ソケット３２ａ、３２ｂを収納する側とは反対側に、側面部７２から延設して設けられる。
【００４６】
次に、第２の実施形態のランプシステム１０（照明装置１０）の作用を説明する。
【００４７】
直管形ランプ１１の装着について説明すると、口金１７ａ、１７ｂから突出するランプピン２５、ランプピン２６をそれぞれソケット３２ａ、３２ｂのスリット４６、４６から挿入し、一対のランプピン２５を回転子４２の一対の溝部４２ａに嵌着して、直管形ランプ１１をソケット３２ａ、３２ｂの間に配置する。次いで、直管形ランプ１１を９０°回動させ、直管形ランプ１１をソケット３２ａ、３２ｂの所定の装着位置に装着する。
【００４８】
さらに、ソケット３２ａ、３２ｂを覆うように、被覆部材７０ａ、７０ｂをそれぞれ取り付ける。被覆部材７０ａ、７０ｂは、取付部７３により、器具本体３１の反射板３６に取り付けられる。被覆部材７０ａ、７０ｂが取り付けられると、被覆部材７０ａ、７０ｂの先端部７１、側面部７２および回転抑制部７４により、ソケット３２ａ、３２ｂのソケット本体４１が覆われる。
【００４９】
この状態で、図５に示すように、被覆部材７０（被覆部材７０ａ）の回転抑制部７４が、ソケット３２ａの回転子４２の孔部４２ｂに当接または挿入されるので、直管形ランプ１１を回動させることができず、直管形ランプ１１をソケット３２ａ、３２ｂに対して取り外しできなくなっている。
【００５０】
第２の実施形態の効果を述べる。
【００５１】
本実施形態によれば、照明装置１０のソケット３２ａ、３２ｂを覆うように被覆部材７０が設けられることで、直管形ランプ１１のソケット３２ａ、３２ｂに対する回動（直管形ランプ１１の取り外し方向への回動）が、被覆部材７０（被覆部材７０ａ）の回転抑制部７４がソケット３２ａの回転子４２の孔部４２ｂに当接または挿入されることによって規制されるため、被覆部材７０ａ、７０ｂを取り外さない限り、直管形ランプ１１をソケット３２ａ、３２ｂに対して回動させることができないので、直管形ランプ１１をソケット３２ａ、３２ｂから不所望に取り外されないようにできる。
【００５２】
このため、直管形ランプ１１を使用した照明装置が、振動等の多い車両用照明装置として用いられた場合であっても、被覆部材７０（被覆部材７０ａ）の回転抑制部７４により、直管形ランプ１１をソケット３２ａ、３２ｂに対して回動させることができないので、直管形ランプ１１が、振動等によりソケット３２ａ、３２ｂから落下することを抑制することができる。また、故意または不所望に直管形ランプ１１がソケット３２ａ、３２ｂから取り外されることを抑制することができる。
【００５３】
さらに、口金１７ａ、１７ｂから突出するランプピン２５、ランプピン２６が、それぞれソケット３２ａ、３２ｂに対して、接触不良となることを抑制することができる。よって、直管形ランプ１１のちらつきや不点を抑制することが期待できる。
【００５４】
本発明のいくつかの実施形態を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００５５】
１０…照明装置
１１…直管形ランプ
１５…カバー
１７ａ、１７ｂ…口金
２５、２６…ランプピン
３２ａ、３２ｂ…ソケット
３３…被覆部材
５４…回転抑制部
７０…被覆部材
７４…回転抑制部
【図１】
2016139464.tif 000003
【図２】
2016139464.tif 000004
【図３】
2016139464.tif 000005
【図４】
2016139464.tif 000006
【図５】
2016139464.tif 000007
【図６】
2016139464.tif 000008
【図７】
2016139464.tif 000009
【図８】
2016139464.tif 000010
【図９】
2016139464.tif 000011